(57)【要約】【課題】フィルムや刷版に出力されるオモテ・ウラ面の画像データを画面表示し、画像の配置を最適化することにより、デラミネーションに起因する印刷不良を事前に予測するとともに、効果的に防止することができる両面印刷におけるオモテ・ウラ面画像をアプリケーションソフト上で画面表示する方法およびそれを最適画像化する方法を提供する。【解決手段】両面印刷におけるオモテ（またはウラ）画像面（以下、Ａ面と略す。）およびウラ（またはオモテ）画像面（以下、Ｂ面と略す。）を画面表示し、裏返された該Ｂ面を該Ａ面に重ね合わせ、該重ね合わされたＡＢ面により、該Ａ面の画像（以下、ａ画像）および該Ｂ面の画像（以下、ｂ画像）の重なり状態を印刷後の該Ａ面側からの透過画像として画面表示することを特徴とする両面印刷におけるオモテ・ウラ面画像をアプリケーションソフト上で画面表示する方法、およびそれを最適画像化する方法。【選択図】　図３
2004110323.tif 000002
【特許請求の範囲】
【請求項１】
両面印刷におけるオモテ（またはウラ）画像面（以下、Ａ面と略す。）およびウラ（またはオモテ）画像面（以下、Ｂ面と略す。）を画面表示し、裏返された該Ｂ面を該Ａ面に重ね合わせ、該重ね合わされたＡＢ面により、該Ａ面の画像（以下、ａ画像）および該Ｂ面の画像（以下、ｂ画像）の重なり状態を印刷後の該Ａ面側からの透過画像として画面表示することを特徴とする両面印刷におけるオモテ・ウラ面画像をアプリケーションソフト上で画面表示する方法。
【請求項２】
両面印刷におけるＡ面およびＢ面を画面表示し、Ａ面の１辺を中心軸とし、該Ｂ面の該Ａ面に対応する１辺をもって該Ｂ面を展開し、該Ａ面および展開された該Ｂ面が該中心軸を基準として同一面上に画面表示することを特徴とする両面印刷におけるオモテ・ウラ面画像をアプリケーションソフト上で画面表示する方法。
【請求項３】
両面印刷におけるＡ面およびＢ面を画面表示し、該Ａ面および該Ｂ面にそれぞれ任意の座標を付与し、Ａ面の１辺を座標軸とし、該Ｂ面の該Ａ面に対応する１辺をもって該Ｂ面を展開し、該Ａ面および展開された該Ｂ面が該座標軸を基準として同一面上に画面表示し、該Ａ面における任意の座標面積に位置するａ画像の網点面積率と該座標軸に対象である該Ｂ面の座標面積に位置するｂ画像の網点面積率との差を演算し、該網点面積率の差が事前に設定されたしきい値の範囲内にあるかどうか判定することを特徴とする両面印刷におけるオモテ・ウラ面画像をアプリケーションソフト上で最適画像化する方法。
【請求項４】
両面印刷におけるＡ面およびＢ面を画面表示し、該Ａ面および該Ｂ面にそれぞれ任意の座標を付与し、Ａ面の１辺を座標軸とし、該Ｂ面の該Ａ面に対応する１辺をもって該Ｂ面を展開し、該Ａ面および展開された該Ｂ面が該座標軸を基準として同一面上に画面表示し、該Ａ面における任意の座標面積に位置するａ画像の網点面積率と該座標軸に対象である該Ｂ面の座標面積に位置するｂ画像の網点面積率との差を演算し、該網点面積率の差が事前に設定されたしきい値の範囲外である時、少なくとも一方の該ａ画像または該ｂ画像の網点面積率を任意に調整することを特徴とする両面印刷におけるオモテ・ウラ面画像をアプリケーションソフト上で最適画像化する方法。
【請求項５】
両面印刷におけるＡ面およびＢ面を画面表示し、該Ａ面および該Ｂ面にそれぞれ任意の座標を付与し、Ａ面の１辺を座標軸とし、該Ｂ面の該Ａ面に対応する１辺をもって該Ｂ面を展開し、該Ａ面および展開された該Ｂ面が該座標軸を基準として同一面上に画面表示し、該Ａ面における任意の座標面積に位置するａ画像の網点面積率と該座標軸に対象である該Ｂ面の座標面積に位置するｂ画像の網点面積率との差を演算し、該網点面積率の差が事前に設定されたしきい値の範囲外である時、少なくとも一方の該ａ画像または該ｂ画像を任意の位置に移動調整することを特徴とする両面印刷におけるオモテ・ウラ面画像をアプリケーションソフト上で最適画像化する方法。
【発明の詳細な説明】
【０００１】
【発明の属する技術分野】
本発明は、両面印刷におけるオモテ・ウラ面画像をアプリケーションソフト上で画面表示する方法およびそれを最適画像化する方法に関するものであり、さらに詳しくはフィルムや刷版に出力されるオモテ・ウラ面の画像データを画面表示し、画像の配置を最適化することで、デラミネーションに起因する印刷不良を事前に予測するとともに、効果的に防止することができるオモテ・ウラ面画像をアプリケーションソフト上で画面表示する方法およびそれを最適画像化する方法に関するものである。
【０００２】
【従来の技術】
巻き取り紙に両面印刷をするオフセット輪転印刷機では、ブランケット胴に紙が取られる”デラミネーション”と呼ばれる現象が発生することがある。これは、両面印刷における上下胴画像の網点面積率のアンバランス、インキ粘着性の高さ、印刷機の張力不足などの場合に発生し易く、この現象に起因して印刷画像の白抜けやダブリなどの印刷不良が発生する。
【０００３】
このデラミネーションについて、図９を用いて説明する。図９は、正常時とデラミネーション発生時の印刷用紙の走行性を示す説明図である。印刷用紙１９は右から左へと走行しており、上流側の下胴ブランケット２０と上胴ブランケット２１の間を通過しつつ該ブランケット上のインキが印刷用紙１９に転移し、所定の色の印刷画像を印刷用紙のウラ・オモテ面に印刷した後、下流側の上下胴ブランケット（図示していない。）に至り、そこで他の色の印刷画像が印刷される。
【０００４】
ここで、下胴ブランケット２０に比べて上胴ブランケット２１が印刷用紙１９の走行方向に進んでいるのは、スタッカード量と呼ばれるもので、印刷用紙１９をブランケットへの巻き付き量Ｆのように常時約５°巻き付けることにより、印刷用紙１９が上下胴ブランケットの間を通過する際の張力変動を抑えるためのものである。従って、正常な印刷用紙の走行性は、実線のように上下胴ブランケットに約５°巻き付いて走行しており、この状態の走行性を維持することにより正常な印刷が可能となる。
【０００５】
それに対し、点線Ｇや点線Ｈで示されているのは、デラミネーション発生時の印刷用紙の走行状態であり、下胴ブランケット２０の網点面積率が大きく（インキ盛り量が多い）、上胴ブランケット２１の網点面積率が小さい（インキ盛り量が少ない）場合には、下胴ブランケット２０側に印刷用紙１９が引っ張られるため、点線のデラミネーション発生時の走行状態Ｇのようなデラミネーションが発生し、その反対の場合は上胴ブランケット２１側に印刷用紙１９が引っ張られるため、点線のデラミネーション発生時の走行状態Ｈのようなデラミネーションが発生する。
【０００６】
このデラミネーションに起因する印刷不良の中で、図１０における白抜け状の印刷不良が発生した印刷画像２２に示すような印刷不良が発生する機構について、図１１を用いて説明する。図１１は、デラミネーション発生時の印刷用紙へのインキ転移性を示す説明図である。図１１において、下胴ブランケット２０の網点面積率が大きく（下胴インキ２３の盛り量が多い）、上胴ブランケット２１の網点面積率が小さい（上胴インキ２４の盛り量が少ない）場合、下胴ブランケット２０側は印刷用紙１９がブランケットへの巻き付き量Ｆのように正常に巻き付けられるのに対して、上胴ブランケット２１側は印刷用紙１９が下胴ブランケット２０側に引っ張られ、点線のデラミネーション発生時の走行状態Ｇのようなデラミネーションが発生し、正常な巻き付け量が保てなくなる。その結果、上胴ブランケット２１から印刷用紙１９へのインキ転移が不十分となり、その状態で印刷を進めることにより上胴ブランケット２１に微量なインキ残り２５が生じて、最終的には該インキ残り２５が堆積、乾燥される。
【０００７】
上胴ブランケットにインキ残り２５が堆積され、乾燥された状態を図１２に示す。図１２は、上胴ブランケットにインキ皮膜部が形成された態様を示す説明図である。図１２で示されるように、上胴ブランケット２１にインキ残りに起因するインキ皮膜部２６が形成され、該インキ皮膜部２６は周辺部と比べてインキ着肉性に劣るため、白抜け状の印刷不良が発生すると考えられている。
【０００８】
従来より、このようなデラミネーションに起因する印刷不良を防止するため、上下胴ブランケットの張力差を少なくさせることを目的として、添加剤含有によるインキの粘度低下あるいは印刷機の張力アップなど、印刷機側での対策が採用されてきた。
【０００９】
しかしながら、インキ中への添加剤含有では色調などの印刷条件が変わり、印刷機の張力を高めると紙切れを起こすことがある。また、これら印刷機側での調整は印刷不良が発生して初めて調整作業を行うものであり、調整作業による大幅な時間ロスが生じることや、印刷不良が発生したことによる損紙の発生などの問題点があった。
【００１０】
デラミネーションの発生を防止を目的として、版胴にブランケット胴を連接し、ブランケット胴と共に巻取り紙に印刷するために、巻取り紙をブランケット胴に圧胴で圧接させることにより、ブランケット胴の汚染を防止し、試し刷り、印刷停止時間を低減するという圧胴方式両面刷オフセット輪転印刷機が開示されている。（例えば、特許文献１）
【００１１】
また、オフセット印刷におけるデラミネーション防止方法として、刷版等の印刷情報からその幅方向へ区画した各区域毎の絵柄面積率を測定し、その測定値に比例してスプレイノズルからの溶剤噴射量を調整して、溶剤の消費量を低減化させる方法が開示されている。（例えば、特許文献２）
【００１２】
上述したとおり、デラミネーションに起因する印刷不良を防止するためには、従来より種々の改良がなされてきているが、未だ不十分であり、改善の余地がある。
【００１３】
そして、デラミネーションに起因する印刷不良を防止するに当たって、フイルムや刷版に出力される画像データをアプリケーションソフト上で、オモテ・ウラ面画像を画面表示ができたり、オモテ・ウラ面画像の網点面積率の差に基づいて画像の配置を最適化できる方法は、未だ開発されていない。
【００１４】
【特許文献１】
特開２０００−１０８２９７号公報
【特許文献２】
特開昭５８−１７５６５９号公報
【００１５】
【発明が解決しようとする課題】
本発明の目的は、フィルムや刷版に出力されるオモテ・ウラ面の画像データを画面表示し、画像の配置を最適化することにより、デラミネーションに起因する印刷不良を事前に予測するとともに、効果的に防止することのできる両面印刷におけるオモテ・ウラ面画像をアプリケーションソフト上で画面表示する方法およびそれを最適画像化する方法を提供するものである。
【００１６】
【課題を解決するための手段】
本発明者らは、上記に鑑み鋭意研究した結果、本発明の両面印刷におけるオモテ・ウラ面画像をアプリケーションソフト上で画面表示する方法および最適画像化する方法を発明するに至った。
【００１７】
すなわち、本発明の両面印刷におけるオモテ・ウラ面画像をアプリケーションソフト上で画面表示する方法は、両面印刷におけるオモテ（またはウラ）画像面（以下、Ａ面と略す。）およびウラ（またはオモテ）画像面（以下、Ｂ面と略す。）を画面表示し、裏返された該Ｂ面を該Ａ面に重ね合わせ、該重ね合わされたＡＢ面により、該Ａ面の画像（以下、ａ画像）および該Ｂ面の画像（以下、ｂ画像）の重なり状態を印刷後の該Ａ面側からの透過画像として画面表示することを特徴とするものである。
【００１８】
また、本発明の両面印刷におけるオモテ・ウラ面画像をアプリケーションソフト上で画面表示する方法は、両面印刷におけるＡ面およびＢ面を画面表示し、Ａ面の１辺を中心軸とし、該Ｂ面の該Ａ面に対応する１辺をもって該Ｂ面を展開し、該Ａ面および展開された該Ｂ面が該中心軸を基準として同一面上に画面表示することを特徴とするものである。
【００１９】
さらに、本発明の両面印刷におけるオモテ・ウラ面画像をアプリケーションソフト上で最適画像化する方法は、両面印刷におけるＡ面およびＢ面を画面表示し、該Ａ面および該Ｂ面にそれぞれ任意の座標を付与し、Ａ面の１辺を座標軸とし、該Ｂ面の該Ａ面に対応する１辺をもって該Ｂ面を展開し、該Ａ面および展開された該Ｂ面が該座標軸を基準として同一面上に画面表示し、該Ａ面における任意の座標面積に位置するａ画像の網点面積率と該座標軸に対象である該Ｂ面の座標面積に位置するｂ画像の網点面積率との差を演算し、該網点面積率の差が事前に設定されたしきい値の範囲内にあるかどうか判定することを特徴とするものである。
【００２０】
また、本発明の両面印刷におけるオモテ・ウラ面画像をアプリケーションソフト上で最適画像化する方法は、両面印刷におけるＡ面およびＢ面を画面表示し、該Ａ面および該Ｂ面にそれぞれ任意の座標を付与し、Ａ面の１辺を座標軸とし、該Ｂ面の該Ａ面に対応する１辺をもって該Ｂ面を展開し、該Ａ面および展開された該Ｂ面が該座標軸を基準として同一面上に画面表示し、該Ａ面における任意の座標面積に位置するａ画像の網点面積率と該座標軸に対象である該Ｂ面の座標面積に位置するｂ画像の網点面積率との差を演算し、該網点面積率の差が事前に設定されたしきい値の範囲外である時、少なくとも一方の該ａ画像または該ｂ画像の網点面積率を任意に調整することを特徴とするものである。
【００２１】
また、本発明の両面印刷におけるオモテ・ウラ面画像をアプリケーションソフト上で最適画像化する方法は、両面印刷におけるＡ面およびＢ面を画面表示し、該Ａ面および該Ｂ面にそれぞれ任意の座標を付与し、Ａ面の１辺を座標軸とし、該Ｂ面の該Ａ面に対応する１辺をもって該Ｂ面を展開し、該Ａ面および展開された該Ｂ面が該座標軸を基準として同一面上に画面表示し、該Ａ面における任意の座標面積に位置するａ画像の網点面積率と該座標軸に対象である該Ｂ面の座標面積に位置するｂ画像の網点面積率との差を演算し、該網点面積率の差が事前に設定されたしきい値の範囲外である時、少なくとも一方の該ａ画像または該ｂ画像を任意に位置に移動調整することを特徴とするものである。
【００２２】
【発明の実施の形態】
以下、本発明の両面印刷におけるオモテ・ウラ面画像をアプリケーションソフト上で画面表示する方法およびそれを最適画像化する方法について、図面を用いて詳細に説明する。なお、以下では、便宜上、オモテ画像面をＡ面、ウラ画像面をＢ面、該Ａ面の画像をａ画像、該Ｂ面の画像をｂ画像として説明する。
【００２３】
図１は、本発明の両面印刷におけるオモテ・ウラ面画像をアプリケーションソフト上で画面表示する一実施態様を示す説明図である。図１における各画像面は、アプリケーションソフト上で画面表示されるものであり、ウラ画像面としてＢ面１を、また、オモテ画像面としてＡ面２を示す。裏返された該Ｂ面１を該Ａ面２に重ね合わせた態様としてＡＢ面３を示す。Ａ面２における画像はａ画像５、Ｂ面１における画像はｂ画像４として示す。
【００２４】
また、ＡＢ面３におけるａ画像５はＡ面２の画像であり、点線で示したｂ’画像６は裏返されたＢ面のｂ画像であり、ＡＢ面３では該ａ画像５と該ｂ’画像６が重ね合わされた透過画像として画面表示された態様を示している。
【００２５】
本発明において、ＡＢ面３に示すように、ａ画像５およびｂ’画像６の重なり状態をＡ面２側からの透過画像として、両面印刷におけるオモテ・ウラ面画像をアプリケーションソフト上で画面表示できることから、デラミネーションに起因する印刷不良の発生を予知する１手段にすることができる。
【００２６】
なお、ここではａ画像５およびｂ’画像６の重なり状態をＡ面２側からの透過画像として画面表示する態様を説明したが、実際の両面印刷ではオモテ・ウラ面双方側より画像の重なり状態を確認するため、該画面表示の態様については、Ｂ面１側、Ａ面２側を任意に設定できることが好ましい。
【００２７】
また、オモテ・ウラ画像面に配置される画像によっては、ｂ’画像６を一定の透過率で画面表示するとオモテ・ウラ面画像を透過画像として判別しにくい場合もあるため、該ｂ’画像６の透過率は任意に設定できることが好ましい。
【００２８】
図２は、本発明の両面印刷におけるオモテ・ウラ面画像をアプリケーションソフト上で同一面に画面表示する一実施態様を示した説明図である。図２における各画像面は、アプリケーションソフト上で画面表示されるものであり、ウラ画像面としてＢ面１、オモテ画像面としてＡ面２を示す。
【００２９】
図２において、Ｂ’／Ａ面８は、Ａ面２の任意の１辺を中心軸Ｃとし、Ｂ面１の該Ａ面２に対応する１辺をもって該Ｂ面１を展開し、該Ａ面２および展開されたＢ’面７が該中心軸Ｃを基準として同一面上に画面表示された平面画像面である。Ｂ面１を展開することにより、Ｂ’面７、Ａ面２を同一面上に正像として画面表示されるため、両面印刷におけるオモテ・ウラ面画像の配置状態をアプリケーションソフト上で視覚化することができる。
【００３０】
図３は、本発明の両面印刷におけるオモテ・ウラ面画像をアプリケーションソフト上で最適画像化する一実施態様を示す説明図である。図３における各画像面は、アプリケーションソフト上でＢ面９、Ａ面１０として画面表示され、該Ｂ面９に任意の座標ｘｙを付与、また該Ａ面１０に任意の座標ＸＹを付与した態様を示す。
【００３１】
図３に示すように、座標ｘｙはＢ面９の左下を座標ｘ０ｙ０として、ｘ軸（横軸）は右に進むにつれて、ｙ軸（縦軸）は上に進むにつれて数値が一つずつ増加する。また、座標ＸＹも同様に、Ａ面１０の左下を座標Ｘ０Ｙ０として、Ｘ軸（横軸）は右に進むにつれて、Ｙ軸（縦軸）は上に進むにつれて数値が一つずつ増加する。
【００３２】
Ｂ’／Ａ面１２は、Ａ面１０の任意の１辺を座標軸Ｄとし、Ｂ面９の該Ａ面１０に対応する１辺をもって該Ｂ面９を展開し、該Ａ面１０および展開された該Ｂ’面１１が該座標軸Ｄを基準として同一面上に画面表示した平面画像面である。また、Ｂ’／Ａ面１２における網掛けで表した部分は、Ａ面１０の任意の座標面積Ｘ２Ｘ３／Ｙ２Ｙ３と、座標軸Ｄに対象であるＢ’面１１の座標面積ｘ２ｘ３／ｙ２ｙ３を示す。
【００３３】
図４は、本発明の両面印刷におけるオモテ・ウラ面画像をアプリケーションソフト上で最適画像化する一実施態様を示す説明図である。
【００３４】
図４に示すように、アプリケーションソフトではＡ面１０における画像中の座標面積Ｘ２Ｘ３／Ｙ２Ｙ３の網点面積率とＢ’面１１における画像中の座標面積ｘ２ｘ３／ｙ２ｙ３の網点面積率の差を演算し、事前に設定された網点面積率差のしきい値の範囲内にあるかを判定し、Ｂ’面１１における座標面積の判定結果１３、およびＡ面１０における座標面積の判定結果１４として示したように、アプリケーションソフト上で画面表示する機能を具備するものである。
【００３５】
本発明において、事前に設定する網点面積率差のしきい値については任意であるが、デラミネーションによる印刷不良は、上下胴画像の網点面積率の差が±２０％を超える場合に発生し易いため、しきい値として該網点面積率差が±２０％以下の値であることが好ましい。このように、網点面積率の差を判断することによって、デラミネーションによる印刷不良が発生する部分についてもアプリケーションソフト上で予想することができる。
【００３６】
なお、印刷される画像の大きさは大小さまざまであるため、図５の画像面１５に示すように、付与された座標の間隔Ｅについては、画像の大きさに合わせて任意に設定できることが好ましい。また、図６の画像面１６に示すように、座標面積中における網点面積率にバラツキがある場合は、座標面積中の網点面積率の平均値をアプリケーションソフト上で演算し、該平均値を座標面積における網点面積率とすることが好ましい。
【００３７】
図７は、本発明におけるアプリケーションソフト上で網点面積率の差がしきい値の範囲外にある場合に、網点面積率を任意に調整した一実施態様を示す説明図である。
【００３８】
図７において、Ｂ’面１７ａの座標面積ｘ２ｘ３／ｙ２ｙ３における網点面積率と、Ａ面１８ａの座標面積Ｘ２Ｘ３／Ｙ２Ｙ３における網点面積率の差がしきい値の範囲外である場合、該Ｂ’面１７ａまたはＡ面１８ａの画像の網点面積率をＢ’面１７ｂまたはＡ面１８ｂの画像のように任意に調整して、網点面積率の差を事前に設定したしきい値の範囲内とすることによってデラミネーションによる印刷不良を未然に防ぐことが可能になる。
【００３９】
具体的に、図７において、Ｂ’面１７ａにおける網点面積率の差を３０％とし、これを図面右側のＢ’面１７ｂにおける網点面積率の差を０％に調整する場合でもって説明すると、図面左側では、該Ｂ’面１７ａのｂ’画像における座標面積ｘ２ｘ３／ｙ２ｙ３の網点面積率が８５％であり、該Ａ面１８ａのａ画像における座標面積Ｘ２Ｘ３／Ｙ２Ｙ３の網点面積率は５５％である。ここで、網点面積率の差のしきい値は２０％と設定されている。すなわち、しきい値２０％を超えた現状の値は３０％であり、デラミネーションの発生が予想されることになる。
【００４０】
本発明におけるデラミネーションの発生を防止するためには、網点面積率の差を２０％以下にすることであり、図７では、図面右側のＢ’面１７ｂで網点面積率の差を０％に調整した例を示している。Ｂ’面１７ｂのｂ’画像の網点面積率をＡ面１８ｂのａ画像の網点面積率５５％と同一の値、すなわちＢ’面１７ａの該ｂ’画像の網点面積率を５５％まで減少させるように調整することである。
【００４１】
このように調整することによって、図７の図面右側ではＢ’面１７ｂの座標面積ｘ２ｘ３／ｙ２ｙ３における網点面積率、Ａ面１８ｂの座標面積Ｘ２Ｘ３／Ｙ２Ｙ３における網点面積率がともに５５％という値になり、網点面積率の差は０％となる。
【００４２】
ここでは、Ｂ’面１７ｂのｂ’画像における網点面積率を調整する例で説明したが、Ｂ’面１７ｂのｂ’画像およびＡ面１８ｂのａ画像をともに調整する方法でもよい。
【００４３】
また、図８は、本発明におけるアプリケーションソフト上で網点面積率の差がしきい値の範囲外にある場合に、任意に画像配置を変更した一実施態様を示す説明図である。
【００４４】
図８において、Ｂ’面１７ａの座標面積ｘ２ｘ３／ｙ２ｙ３における網点面積率と、Ａ面１８ａの座標面積Ｘ２Ｘ３／Ｙ２Ｙ３における網点面積率の差がしきい値の範囲外である場合、該Ｂ’面１７ａまたはＡ面１８ａの画像をＢ’面１７ｃまたはＡ面１８ｃの画像のように任意に画像の配置を変更して、網点面積率の差を事前に設定したしきい値の範囲内とすることによってデラミネーションによる印刷不良を未然に防ぐことが可能になる。
【００４５】
具体的に、図８において、Ｂ’面１７ａにおける網点面積率の差を３０％とし、これを図面右側のＢ’面１７ｃにおけるｂ’画像およびＡ面１８ｃにおけるａ画像のいずれの画像をも図面左側で配置された画像の位置より変更し、Ｂ’面１７ｃにおける網点面積率の差を０％とする場合でもって説明すると、図面左側では、該Ｂ’面１７ａのｂ’画像における座標面積ｘ２ｘ３／ｙ２ｙ３の網点面積率が４０％であり、Ａ面１８ａのａ画像における座標面積Ｘ２Ｘ３／Ｙ２Ｙ３の網点面積率が７０％であり、また、Ａ面１８ａのａ画像以外の背景部分の網点面積率を４０％とする。ここで、網点面積率の差のしきい値は２０％と設定されている。すなわち、しきい値２０％を超えた現状の値は３０％であり、デラミネーションの発生が予想されることになる。
【００４６】
本発明におけるデラミネーションの発生を防止するためには、網点面積率の差を２０％以下にすることであり、図８では、図面右側のＢ’面１７ｃで網点面積率の差を０％になるようにＢ’面１７ａのｂ’画像およびＡ面１８ａのａ画像の位置をそれぞれ変更した例を示している。
【００４７】
図８における図面右側では、図面左側のＢ’面１７ａにおけるｂ’画像を下方にずらし、また図面左側のＡ面１８ａにおけるａ画像を上方にずらすことによって、図面右側のＢ’面１７ｃにおけるｂ’画像の座標面積ｘ２ｘ３／ｙ２ｙ３とＡ面１８ｃにおけるａ画像の座標面積Ｘ２Ｘ３／Ｙ２Ｙ３とは重ならない。
【００４８】
ここで、図面右側のＢ’面１７ｃにおける網点面積率の差は、該Ｂ’面１７ｃのｂ’画像における座標面積ｘ２ｘ３／ｙ２ｙ３の網点面積率が４０％であり、Ａ面１８ｃのａ画像以外の背景部分における座標面積Ｘ２Ｘ３／Ｙ２Ｙ３の網点面積率が４０％であることから、網点面積率の差としては０％となる。
【００４９】
このように、Ｂ’面、Ａ面の各画像について、その配置を適宜変更することによって、所望の網点面積率の差を事前に設定されたしきい値の範囲内に収め、デラミネーションの発生を防止することができる。
【００５０】
【発明の効果】
上記のとおり、本発明の両面印刷におけるオモテ・ウラ面画像をアプリケーションソフト上で画面表示する方法およびそれを最適画像化する方法は、フィルムや刷版に出力されるオモテ・ウラ面の画像データを画面表示、また、画像の配置を最適化することで、デラミネーションに起因する印刷不良を事前に予測するとともに、効果的に防止することができる。
【図面の簡単な説明】
【図１】本発明の両面印刷におけるオモテ・ウラ面画像をアプリケーションソフト上で画面表示する一実施態様を示す説明図である。
【図２】本発明の両面印刷におけるオモテ・ウラ画像面をアプリケーションソフト上で同一面に画面表示する一実施態様を示した説明図である。
【図３】本発明の両面印刷におけるオモテ・ウラ面画像をアプリケーションソフト上で最適画像化する一実施態様を示す説明図である。
【図４】本発明の両面印刷におけるオモテ・ウラ面画像をアプリケーションソフト上で最適画像化する一実施態様を示す説明図である。
【図５】付与された座標の間隔を画像の大きさに合わせて任意に設定した態様を示す説明図である。
【図６】座標面積中における網点面積率にバラツキがある画像を示す説明図である。
【図７】本発明におけるアプリケーションソフト上で網点面積率の差がしきい値の範囲外にある場合に、網点面積率を任意に調整した一実施態様を示す説明図である。
【図８】本発明におけるアプリケーションソフト上で網点面積率の差がしきい値の範囲外にある場合に、任意に画像配置を変更した一実施態様を示す説明図である。
【図９】正常時とデラミネーション発生時の印刷用紙の走行性を示す説明図である。
【図１０】白抜け状の印刷不良が発生した上胴画像を示す平面図である。
【図１１】デラミネーション発生時の印刷用紙へのインキ転移性を示す説明図である。
【図１２】上胴ブランケットにインキ皮膜部が形成された態様を示す説明図である。
【符号の説明】
１、９　　Ｂ面
２、１０、１８ａ、１８ｂ、１８ｃ　Ａ面
３　　ＡＢ面
４　ｂ画像
５　ａ画像
６　ｂ’画像
７、１１、１７ａ、１７ｂ、１７ｃ　Ｂ’面
８、１２　Ｂ’／Ａ面
１３　Ｂ’面における座標面積の判定結果
１４　Ａ面における座標面積の判定結果
１５、１６　画像面
１９　印刷用紙
２０　下胴ブランケット
２１　上胴ブランケット
２２　白抜け状の印刷不良が発生した印刷画像
２３　下胴インキ
２４　上胴インキ
２５　インキ残り
２６　インキ皮膜部
ｘｙ　Ｂ面に任意に付与された座標
ＸＹ　Ａ面に任意に付与された座標
Ｃ　中心軸
Ｄ　座標軸
Ｅ　座標の間隔
Ｆ　ブランケットへの巻き付き量
Ｇ、Ｈ　デラミネーション発生時の印刷用紙の走行状態
【図１】
2004110323.tif 000003
【図２】
2004110323.tif 000004
【図３】
2004110323.tif 000005
【図４】
2004110323.tif 000006
【図５】
2004110323.tif 000007
【図６】
2004110323.tif 000008
【図７】
2004110323.tif 000009
【図８】
2004110323.tif 000010
【図９】
2004110323.tif 000011
【図１０】
2004110323.tif 000012
【図１１】
2004110323.tif 000013
【図１２】
2004110323.tif 000014